【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
基板と、
前記基板上に形成されている第１信号線と、
前記第１信号線と交差している第２信号線と、
前記第１信号線及び前記第２信号線と連結されている薄膜トランジスタと、
前記薄膜トランジスタと電気的に連結されている第１及び第２副画素電極と、前記第１及び第２副画素電極と容量性結合している第３副画素電極を有する画素電極とを含む、薄膜トランジスタ表示板。
【請求項２】
前記第１及び第２副画素電極は前記第３副画素電極を間に置いて両側に配置されている、請求項１に記載の薄膜トランジスタ表示板。
【請求項３】
前記第１及び第２副画素電極と電気的に連結されており、前記第３副画素電極と容量性結合している結合電極をさらに含む、請求項１に記載の薄膜トランジスタ表示板。
【請求項４】
前記第１副画素電極、前記第２副画素電極及び前記結合電極のうちの少なくとも一つと重畳する維持電極をさらに含む、請求項３に記載の薄膜トランジスタ表示板。
【請求項５】
前記結合電極は前記第３副画素電極と重畳する、請求項３に記載の薄膜トランジスタ表
示板。
【請求項６】
前記結合と前記画素電極との間に形成された絶縁膜をさらに含み、前記結合電極と前記第３副画素電極との間に位置する前記絶縁膜の部分は、前記絶縁膜の他の部分より薄い、請求項５に記載の薄膜トランジスタ表示板。
【請求項７】
前記絶縁膜は無機膜及び有機膜を含む、請求項６に記載の薄膜トランジスタ表示板。
【請求項８】
前記有機膜は、前記結合電極上に位置する開口部を有し、前記有機膜の開口部を介し前記第３副画素電極に結合している前記結合電極は、結合キャパシタを形成する、請求項７に記載の薄膜トランジスタ表示板。
【請求項９】
前記第３副画素電極と電気的に連結されており、前記結合電極と重畳する容量電極をさらに含む、請求項５記載の薄膜トランジスタ表示板。
【請求項１０】
前記第１信号線と前記第２信号線との間及び前記容量電極と前記結合電極との間に形成されている第１絶縁膜と、
前記第２信号線と前記画素電極との間及び前記結合電極と前記第３副画素電極との間に形成されている第２絶縁膜と、をさらに含む、請求項９記載の薄膜トランジスタ表示板。
【請求項１１】
前記第２絶縁膜は、無機膜及び前記無機膜上の有機膜を含む、請求項１０に記載の薄膜トランジスタ表示板。
【請求項１２】
前記第３副画素電極と電気的に連結されており、前記結合電極と重畳する容量電極をさらに含む、請求項３に記載の薄膜トランジスタ表示板。
【請求項１３】
前記第１信号線と前記第２信号線との間及び前記容量電極と前記結合電極との間に形成されている絶縁膜をさらに含む、請求項１２に記載の薄膜トランジスタ表示板。
【請求項１４】
前記結合電極は前記薄膜トランジスタからのびる、請求項３に記載の薄膜トランジスタ表示板。
【請求項１５】
前記第３副画素電極と電気的に連結されており、前記第１または第２副画素電極に容量性結合された容量電極をさらに含む、請求項１に記載の薄膜トランジスタ表示板。
【請求項１６】
前記第２信号線と前記画素電極との間に形成されている絶縁膜をさらに含む、請求項１に記載の薄膜トランジスタ表示板。
【請求項１７】
前記絶縁膜は無機膜及びその上の有機膜を含む、請求項１６に記載の薄膜トランジスタ表示板。
【請求項１８】
前記画素電極を前記第１、第２、第３副画素電極に区画する区画部材をさらに含む、請求項１に記載の薄膜トランジスタ表示板。
【請求項１９】
前記第１副画素電極及び前記第２副画素電極が互いに離れている、請求項１に記載の薄膜トランジスタ表示板。
【請求項２０】
液晶表示板であり、
共通電極を含む共通電極表示板と、
前記共通電極に対向する位置にある薄膜トランジスタ表示板と、
前記共通電極表示板と前記薄膜トランジスタ表示板との間に位置する液晶層と、を含み
前記薄膜トランジスタ表示板は、
基板と、
前記基板上に形成されている第１信号線と、
前記第１信号線と交差している第２信号線と、
前記第１信号線及び前記第２信号線と連結されている薄膜トランジスタと、
前記薄膜トランジスタに電気的に連結されている第１及び第２電極と、前記第１及び第２電極と容量性結合している第３電極とを含む画素電極と、を有し、
前記画素電極は、
第１電圧が印加される前記第１電極及び前記第２電極を含む第１副画素と、
第２電圧が印加される前記第３電極を含む第２副画素と、を有する、
液晶表示板。
【請求項２１】
前記第１副画素は、第１液晶キャパシタ及びストレージキャパシタを含み、
前記第２副画素は、第２液晶キャパシタ及び結合キャパシタを含む、請求項２０に記載の液晶表示板。
【請求項２２】
前記第１液晶キャパシタは、前記第１電極及び第２電極を含む第１ターミナルと、前記共通電極の第１重畳部を含む第２ターミナルと、絶縁体として前記第１ターミナル及び前記第２ターミナルの間に位置する液晶層の一部とを含み、
前記第２液晶キャパシタは、前記第３電極を含む第１ターミナルと、前記共通電極の第２重畳部を含む第２ターミナルと、絶縁体として前記第１ターミナル及び前記第２ターミナルの間に位置する液晶層の一部とを含む、請求項２１に記載の液晶表示板。
【請求項２３】
前記第１電圧は、前記第２電圧より大きい、請求項２０に記載の液晶表示板。
【請求項２４】
前記第２電圧は、前記第１電圧の約６０％〜８０％である、請求項２３に記載の液晶表示板。
【請求項２５】
前記ストレージキャパシタは、前記薄膜トランジスタのドレイン電極の拡張部を含む第１ターミナルと、前記基板上のストレージ電極を含む第２ターミナルと、絶縁体として前記第１ターミナル及び前記第２ターミナルの間に位置するゲート絶縁膜の一部と、を含み、
前記結合キャパシタは、第３電極及び、前記基板上の容量電極を含む第１ターミナルと、ドレイン電極の拡張部に電気的に連結されている結合電極を含む第２ターミナルと、絶縁体として前記第１ターミナル及び前記第２ターミナルの間に位置するゲート絶縁膜及び保護膜の一部と、を含む、請求項２２に記載の液晶表示板。
【請求項２６】
前記結合電極の前記第１電極及び前記第２電極に対する位置を変えることにより、前記結合キャパシタの静電容量を変化させ、前記第１電圧と前記第２電圧との比率が調整される、請求項２５に記載の液晶表示板。
【手続補正２】
【補正対象書類名】明細書
【補正対象項目名】０００８
【補正方法】変更
【補正の内容】
【０００８】
このような課題を解決するために、本発明では画素電極を少なくとも二以上の副画素電極に分けて、副画素電極に互いに異なる電位が印加されるようにする。
本願第１発明の薄膜トランジスタ表示板は、基板と、前記基板上に形成されている第１信号線と、前記第１信号線と交差している第２信号線と、前記第１信号線及び前記第２信号線と連結されている薄膜トランジスタと、前記薄膜トランジスタと電気的に連結されている第１及び第２副画素電極と、前記第１及び第２副画素電極と容量性結合している第３副画素電極を有する画素電極とを含む。
本発明によれば、画素電極を分割して互いに異なる電圧を印加をすることによって液晶表示装置の側面視認性を向上させ、これによって視野角を拡張することができる。具体的には、画素電極が分割されて互いに異なる電圧が印加されることで、それぞれの第１副画素と第２副画素における液晶分子の傾斜角度が異なるため、二つの副画素の輝度が異なる。したがって、側面から眺める映像を正面から眺める映像に最大限近くすることができ、これによって側面視認性を向上することができる。
【手続補正３】
【補正対象書類名】明細書
【補正対象項目名】０００９
【補正方法】変更
【補正の内容】
【０００９】
本願第２発明は、第１発明において、前記第１及び第２副画素電極は前記第３副画素電極を間に置いて両側に配置されていることができる。
本願第３発明は、第１発明において、前記第１及び第２副画素電極と電気的に連結されており、前記第３副画素電極と容量性結合している結合電極をさらに含むことができる。
本願第４発明は、第３発明において、前記第１副画素電極、前記第２副画素電極及び前記結合電極のうちの少なくとも一つと重畳する維持電極をさらに含むことができる。
このような維持電極をもうけることで、１副画素電極、前記第２副画素電極及び前記結合電極の電位を補償することができる。
【手続補正４】
【補正対象書類名】明細書
【補正対象項目名】００１０
【補正方法】変更
【補正の内容】
【００１０】
本願第５発明は、第３発明において、前記結合電極は前記第３副画素電極と重畳することができる。
本願第６発明は、第５発明において、前記結合と前記画素電極との間に形成された絶縁膜をさらに含み、前記結合電極と前記第３副画素電極との間に位置する前記絶縁膜の部分は、前記絶縁膜の他の部分より薄い。
結合電極と前記第３副画素電極との間の絶縁膜を薄くすることで、キャパシタの容量を維持することができる。
本願第７発明は、第６発明において、前記絶縁膜は無機膜及び有機膜を含むことができる。無機膜により下部の膜との接触性を高め、有機膜により平坦性を確保し易くなる。
【手続補正５】
【補正対象書類名】明細書
【補正対象項目名】００１１
【補正方法】変更
【補正の内容】
【００１１】
本願第８発明は、第７発明において、前記有機膜は、前記結合電極上に位置する開口部を有し、前記有機膜の開口部を介し前記第３副画素電極に結合している前記結合電極は、結合キャパシタを形成することができる。このように形成されることで、画素の開講率の減少を防ぐことができる。
本願第９発明は、第５発明において、前記第３副画素電極と電気的に連結されており、前記結合電極と重畳する容量電極をさらに含むことができる。
本願第１０発明は、第９発明において、前記第１信号線と前記第２信号線との間及び前記容量電極と前記結合電極との間に形成されている第１絶縁膜と、前記第２信号線と前記画素電極との間及び前記結合電極と前記第３副画素電極との間に形成されている第２絶縁膜と、をさらに含むことができる。
本願第１１発明は、第１０発明において、前記第２絶縁膜は、無機膜及び前記無機膜上の有機膜を含むことができる。
【手続補正６】
【補正対象書類名】明細書
【補正対象項目名】００１２
【補正方法】変更
【補正の内容】
【００１２】
本願第１２発明は、第３発明において、前記第３副画素電極と電気的に連結されており、前記結合電極と重畳する容量電極をさらに含む。
本願第１３発明は、第１２発明において、前記第１信号線と前記第２信号線との間及び前記容量電極と前記結合電極との間に形成されている絶縁膜をさらに含むことができる。
本願第１４発明は、第３発明において、前記結合電極は前記薄膜トランジスタからのびる。
本願第１５発明は、第１発明において、前記第３副画素電極と電気的に連結されており、前記第１または第２副画素電極に容量性結合された容量電極をさらに含むことができる。
本願第１６発明は、第１発明において、前記第２信号線と前記画素電極との間に形成されている絶縁膜をさらに含むことができる。
【手続補正７】
【補正対象書類名】明細書
【補正対象項目名】００１３
【補正方法】変更
【補正の内容】
【００１３】
本願第１７発明は、第１６発明において、前記絶縁膜は無機膜及びその上の有機膜を含むことができる。
本願第１８発明は、第１発明において、前記画素電極を前記第１、第２、第３副画素電極に区画する区画部材をさらに含むことができる。
本願第１９発明は、第１発明において、前記第１副画素電極及び前記第２副画素電極が互いに離れていることができる。
【手続補正８】
【補正対象書類名】明細書
【補正対象項目名】００１４
【補正方法】変更
【補正の内容】
【００１４】
本願第２０発明は、液晶表示板であり、共通電極を含む共通電極表示板と、前記共通電極に対向する位置にある薄膜トランジスタ表示板と、前記共通電極表示板と前記薄膜トランジスタ表示板との間に位置する液晶層と、を含む。前記薄膜トランジスタ表示板は、基板と、前記基板上に形成されている第１信号線と、前記第１信号線と交差している第２信号線と、前記第１信号線及び前記第２信号線と連結されている薄膜トランジスタと、前記薄膜トランジスタに電気的に連結されている第１及び第２電極と、前記第１及び第２電極と容量性結合している第３電極とを含む画素電極と、を有し、前記画素電極は、  第１電圧が印加される前記第１電極及び前記第２電極を含む第１副画素と、第２電圧が印加される前記第３電極を含む第２副画素と、を有することを特徴とする、
液晶表示板を提供する。
【手続補正９】
【補正対象書類名】明細書
【補正対象項目名】００１５
【補正方法】変更
【補正の内容】
【００１５】
本願第２１発明は、第２０発明において、前記第１副画素は、第１液晶キャパシタ及びストレージキャパシタを含み、前記第２副画素は、第２液晶キャパシタ及び結合キャパシタを含むことができる。
本願第２２発明は、第２１発明において、前記第１液晶キャパシタは、前記第１電極及び第２電極を含む第１ターミナルと、前記共通電極の第１重畳部を含む第２ターミナルと、絶縁体として前記第１ターミナル及び前記第２ターミナルの間に位置する液晶層の一部とを含み、前記第２液晶キャパシタは、前記第３電極を含む第１ターミナルと、前記共通電極の第２重畳部を含む第２ターミナルと、絶縁体として前記第１ターミナル及び前記第２ターミナルの間に位置する液晶層の一部とを含むことができる。
本願第２３発明は、第２０発明において、前記第１電圧は、前記第２電圧より大きいことができる。
本願第２４発明は、第２３発明において、前記第２電圧は、前記第１電圧の約６０％〜８０％であることができる。
【手続補正１０】
【補正対象書類名】明細書
【補正対象項目名】００１６
【補正方法】変更
【補正の内容】
【００１６】
本願第２５発明は、第２２発明において、前記ストレージキャパシタは、前記薄膜トランジスタのドレイン電極の拡張部を含む第１ターミナルと、前記基板上のストレージ電極を含む第２ターミナルと、絶縁体として前記第１ターミナル及び前記第２ターミナルの間に位置するゲート絶縁膜の一部と、を含み、前記結合キャパシタは、第３電極及び、前記基板上の容量電極を含む第１ターミナルと、ドレイン電極の拡張部に電気的に連結されている結合電極を含む第２ターミナルと、絶縁体として前記第１ターミナル及び前記第２ターミナルの間に位置するゲート絶縁膜及び保護膜の一部と、を含むことができる。
本願第２６発明は、第２５発明において、前記結合電極の前記第１電極及び前記第２電極に対する位置を変えることにより、前記結合キャパシタの静電容量を変化させ、前記第１電圧と前記第２電圧との比率が調整されることができる。